(57)【特許請求の範囲】
【請求項１】
加熱庫と、該加熱庫の底面に形成された凹部と、該凹部内に設けられたマイクロ波攪拌用ファンと、マイクロ波透過性材料から成り前記加熱庫の底面を覆う角トレイと、該角トレイの周縁に固着されたパッキンとを備えている電子レンジにおいて、
前記加熱庫の底面には前記凹部の周縁に沿って凸条が形成されているとともに、前記凸条の頂部に前記角トレイの下面が当接するようになっていることを特徴とする電子レンジ。
【請求項２】
前記凸条の周囲には複数の穴が形成されており、該穴の径はマイクロ波が漏洩しない程度の大きさであって、隣接する前記穴同士の間隔はマイクロ波の４分の１波長であることを特徴とする請求項１に記載の電子レンジ。
【請求項３】
加熱庫と、該加熱庫の底面に形成された凹部と、該凹部内に設けられたマイクロ波攪拌用ファンと、マイクロ波透過性材料から成り前記加熱庫の底面を覆う角トレイと、該角トレイの周縁に固着されたパッキンとを備えている電子レンジにおいて、
前記加熱庫の底面の手前側の左右両端には前記角トレイの下面を吸着するための吸盤が設けられていることを特徴とする電子レンジ。
【請求項４】
前記パッキンの下面には前記加熱庫の底面に当接して自在に屈曲する突起部が形成されていることを特徴とする請求項１〜請求項３のいずれかに記載の電子レンジ。
【発明の詳細な説明】
【０００１】
【発明の属する技術分野】
本発明は、加熱庫内の底面となる角トレイが本体より脱着可能な電子レンジに関するものである。
【０００２】
【従来の技術】
メンテナンスが簡単に行えるように加熱庫の底面となっている角トレイが本体より自在に脱着できる電子レンジの従来技術について説明する。図１１（イ）はこの電子レンジの断面を正面から見た概略図であり、同図（ロ）は同図（イ）における円Ｓ３内を拡大して示した図である。
【０００３】
図１１（イ）に示すように、電子レンジ本体１内に設けられた加熱庫２は底面２ａの中央に凹部１ａが形成されており、その底面２ａ上には凹部１ａを覆うようにガラス製の角トレイ３が取り付けられている。凹部１ａ内には、モータ４によって駆動されるマイクロ波撹拌用のスタラファン５が設けられている。６はマイクロ波を発振するマグネトロンであり、導波管７より送られてきたマイクロ波はこのスタラファン５によって加熱庫２内に拡散される。
【０００４】
角トレイ３は本体１より脱着できる構成となっているため、角トレイ３と加熱庫２の側面２ｂとの間には隙間がある。従って、調理や清掃による煮汁や油、水、洗剤などが角トレイ３から漏れ出て、凹部１ａ内に流れ込むおそれがある。そこで、図１１（ロ）に示すように、角トレイ３の周縁にはシリコンパッキン８がシリコン接着剤９にて固着されている。
【０００５】
シリコンパッキン８には、角トレイ３の両側縁及び後端縁に沿う部分で上縁が薄く延びて延在部８ａが形成されている。本体１から取り外された角トレイ３を加熱庫２内に装着するには、延在部８ａがめくれ上がった状態でその下面を加熱庫２の側面２ｂに密接させて角トレイ３を押し下げる。これによって、角トレイ３の下側の空気が押し出され、シリコンパッキン８の延在部８ａは吸盤のように加熱庫２の側面２ｂに吸着する。
【０００６】
【発明が解決しようとする課題】
図１２（イ）は上記電子レンジの断面を側方から見た概略図であり、同図（ロ）は同図（イ）における円Ｓ４内を拡大して示した図である。尚、図中左側が電子レンジの前面になる。角トレイ３の前端縁に沿う部分のシリコンパッキン８は、電子レンジの扉１０の開閉を円滑にし、また角トレイ３が簡単に取り外せるように、延在部８ａ（図１１（イ）参照）が形成されておらず扉１０との間に隙間が設けられている。従って、この隙間から煮汁や油などが漏れ出る。
【０００７】
また、上記シリコンパッキン８と扉１０との隙間からは空気も角トレイ３の下側に流入し、加熱庫２の側面２ｂを押さえている延在部８ａの下面が持ち上がって、延在部８ａによるシリコンパッキン８のシール効果も弱まる。故に、煮汁や油などがさらに漏れ出ることになる。凹部１ａ内に流れ込んでスタラファン５に付着したりその付近に溜まった煮汁や油などは、マグネトロン６で発振されたマイクロ波との間で放電し、これがスタラファン５などの故障の原因となる。
【０００８】
本発明は上記課題をかんがみて成されたものであり、角トレイより煮汁や油などが漏れ出ない電子レンジを提供することを目的とする。
【０００９】
【課題を解決するための手段】
上記目的を達成するために、請求項１の電子レンジは、加熱庫と、該加熱庫の底面に形成された凹部と、該凹部内に設けられたマイクロ波攪拌用ファンと、マイクロ波透過性材料から成り加熱庫の底面を覆う角トレイと、該角トレイの周縁に固着されたパッキンとを備えている電子レンジにおいて、加熱庫の底面には凹部の周縁に沿って凸条が形成されているとともに、その凸条の頂部に角トレイの下面が当接するようになっていることを特徴とする。
【００１０】
上記構成の電子レンジでは、パッキンのシール効果が弱く煮汁や油などが角トレイの下側に漏れ出ても、凹部の周縁に形成された凸条でせき止められて凹部内には流れ込まない。
【００１１】
請求項２の電子レンジは、請求項１に記載の電子レンジにおいて、
凸条の周囲には複数の穴が形成されており、該穴の径はマイクロ波が漏洩しない程度の大きさであって、隣接する穴同士の間隔はマイクロ波の４分の１波長であることを特徴とする。従って、凸条でせき止められた煮汁や油などはこの穴から加熱庫へ排出される。このとき、穴からはマイクロ波が漏れ出ることはない。
【００１２】
請求項３の電子レンジは、加熱庫と、該加熱庫の底面に形成された凹部と、該凹部内に設けられたマイクロ波攪拌用ファンと、マイクロ波透過性材料から成り加熱庫の底面を覆う角トレイと、該角トレイの周縁に固着されたパッキンとを備えている電子レンジにおいて、加熱庫の底面の手前側の左右両端には角トレイの下面を吸着するための吸盤が設けられていることを特徴とする。
【００１３】
上記構成によると、吸盤が角トレイの下面を吸着することで、角トレイの前端縁に固着されているパッキンの下面と加熱庫の底面とが密接する。
【００１４】
請求項４の電子レンジは、請求項１〜３のいずれかに記載の電子レンジにおいて、パッキンの下面には加熱庫の底面に当接して自在に屈曲する突起部が形成されていることを特徴とする。従って、押し下げられる角トレイに伴って突起部が加熱庫の底面に当接するとそのまま屈曲し、パッキンの下面と加熱庫の底面との隙間を埋める。
【００１５】
【発明の実施の形態】
本発明の実施形態について図面を参照して説明する。尚、各実施形態とも図１１及び図１２に示す従来技術と同じ構成の部材には同一の符号を付し、重複する説明は省略する。
【００１６】
先ず、第１実施形態について説明する。図１（イ）はこの電子レンジの断面を正面から見た概略図であり、同図（ロ）は同図（イ）における円Ｓ１内を拡大して示した図である。図２（イ）は電子レンジの断面を側方から見た概略図であり、同図（ロ）は同図（イ）における円Ｓ２内を拡大して示した図である。
【００１７】
この電子レンジでは、加熱庫２の底面２ａに凸条１１が２本、凹部１ａを囲むように形成されている。図１（ロ）に示すように、凸条１１の頂部は角トレイ３の下面に当接していることから、シリコンパッキン８のシール効果が弱く角トレイ３上の煮汁や油などが角トレイ３の下側に漏れ出ても、この凸条１１でせき止められて凹部１ａ内には流れ込まない。
【００１８】
次に、第２実施形態について説明する。図３は本実施形態の電子レンジ本体１の加熱庫２内を模式的に示した斜視図である。加熱庫２の底面２ａには第１実施形態と同様に凸条１１が形成されており、その外側には凸条１１を囲むように複数の穴１２が一列に並んで形成されている。この穴１２の径は電波が漏洩しない程度の大きさ、例えば４ｍｍであり、また穴１２同士の間隔Ｌはマイクロ波の４分の１波長である。
【００１９】
図４及び図５は電子レンジの断面の一部を示した図であり、それぞれ図１（ロ）及び図２（ロ）に対応している。この電子レンジでは、第１実施形態と同様に、シリコンパッキン８のシール効果が弱く煮汁や油などが角トレイ３から漏れ出ても凸条１１でせき止められる。そして、溜まった煮汁や油などは穴１２から加熱庫２外へ排出される。故に、凸条１１のシール効果がより高まる。
【００２０】
次に、第３実施形態について説明する。図６は本実施形態の電子レンジ本体１の加熱庫２の内部を模式的に示した斜視図である。加熱庫２の底面２ａには、手前側の左右両端にシリコン製の吸盤１３が設けられている。
【００２１】
図７は電子レンジの断面の一部を示した図であり、図２（ロ）に対応している。吸盤１３はシリコンパッキン８よりも内側で角トレイ３の下面を吸着しており、シリコンパッキン８の下面を加熱庫２の底面２ａに密接させている。従って、この電子レンジでは角トレイ３の前端縁がシールされ煮汁や油などが漏れ出ない。
【００２２】
また、角トレイ３の下側に空気が流れ込まないので、シリコンパッキン８の側端縁及び後端縁に形成した図示しない延在部８ａの下面が持ち上がらず、シール効果は維持される。さらに、シリコンパッキン８と扉１０との間には隙間を有することから扉１０の開閉は自在であり、角トレイ３の脱着も容易に行うことができる。
【００２３】
次に、第４実施形態について説明する。本実施形態は、第１実施形態とシリコンパッキン８の構成だけが異なるものである。図８は本実施形態の角トレイ３における側端縁の部分を示した断面図である。図に示すように、シリコンパッキン８の下面には細長い突起部８ｂが延びている。この突起部８ｂは、図示しないシリコンパッキン８全体の下面に形成されている。
【００２４】
上記構成の角トレイ３を図示しない加熱庫２内に装着する。図９は本実施形態の電子レンジの断面の一部を示した図であり、図１（ロ）に対応する。突起部８ｂはシリコン製なので、押し下げられた角トレイ３に伴って加熱庫２の底面２ａに当接すると簡単に屈曲する。
【００２５】
この屈曲した突起部８ｂによって、シリコンパッキン８の下面と加熱庫２の底面２ａとの隙間が埋められる。従って、凸条１１と共に漏れ出た煮汁や油などを直接せき止めるだけでなく、角トレイ３の前端縁からの空気の流入がないので延在部８ａによるシリコンパッキン８のシール効果を維持することができる。
【００２６】
上記第４実施形態は、第１実施形態の電子レンジにおけるシリコンパッキン８に突起部８ｂを形成した構成となっている。これと同様に、第３実施形態の電子レンジのシリコンパッキン８に突起部８ｂを設けてもよい。図１０は該電子レンジの断面の一部を示した図であり、図７に相当する。図に示すように、吸盤１３が角トレイ３を吸着することで突起部８ｂは底面２ａに押し付けられて屈曲し、シリコンパッキン８の下面と加熱庫２の底面２ａとの隙間を埋める。従って、第４実施形態と同様にシール効果がいっそう向上する。
【００２７】
【発明の効果】
以上説明したように、請求項１の電子レンジでは、パッキンによる角トレイのシール効果が弱くそこから角トレイ上の煮汁や油などが漏れ出ても、凸条でせき止められる。特に、請求項２の電子レンジでは加熱庫の底面に形成された穴によって凸条でせき止められた煮汁や油などが加熱庫外へ排出される。故に、シール効果が弱くてもマイクロ波攪拌用ファンなどの部材に煮汁や油などが付着するという不都合がない。
【００２８】
また、請求項３の電子レンジでは、角トレイの前端縁でパッキンが加熱庫の底面に密着するのでこの部分でシールが成される。さらに、角トレイの下側に空気が流入しないのでパッキンの延在部でのシール効果が維持される。故に、マイクロ波攪拌用ファンなどの部材に煮汁や油などが付着するという不都合がない。
【００２９】
特に、請求項４の電子レンジでは、パッキンの下面に形成された突起部によりパッキンの下面と加熱庫の底面との間の隙間が塞がれるので、シール効果をより向上させることができる。
【００３０】
このように、請求項１乃至請求項４の電子レンジでは、加熱庫以外のところに煮汁や油などが漏れ出るといった不都合はないので、故障が少なく安全な運転が保障されたものとなる。
【図面の簡単な説明】
【図１】（イ）は本発明に係る第１実施形態の電子レンジの断面を正面から見た図であり、（ロ）は同図（イ）における円Ｓ１内を拡大して示した図である。
【図２】（イ）は第１実施形態の電子レンジの断面を側方から見た図であり、（ロ）は同図（イ）における円Ｓ２内を拡大して示した図である。
【図３】本発明に係る第２実施形態の電子レンジの加熱庫内を示した斜視図である。
【図４】第２実施形態の電子レンジの断面の一部を示した図である。
【図５】第２実施形態の電子レンジの断面の一部を示した図である。
【図６】本発明に係る第３実施形態の電子レンジの加熱庫内を示した斜視図である。
【図７】第３実施形態の電子レンジの断面の一部を示した図である。
【図８】本発明に係る第４実施形態の角トレイの断面の一部を示した図である。
【図９】第４実施形態の電子レンジの断面の一部を示した図である。
【図１０】第４実施形態のほかの実施形態について示しており、電子レンジの断面の一部を示した図である。
【図１１】（イ）は従来技術の電子レンジの断面を正面から見た図であり、（ロ）は同図（イ）における円Ｓ３内を拡大して示した図である。
【図１２】（イ）は従来技術の電子レンジの断面を側方から見た図であり、（ロ）は同図（イ）における円Ｓ４内を拡大して示した図である。
【符号の説明】
１    電子レンジ本体
２    加熱庫
３    角トレイ
４    モータ
５    スタラファン
６    マグネトロン
７    導波管
８    シリコンパッキン
８ａ    延在部
８ｂ    突起部
９    シリコン接着剤
１０    扉
１１    凸条
１２    穴
１３    吸盤
【図１】
0003547630.tif 000002
【図２】
0003547630.tif 000003
【図３】
0003547630.tif 000004
【図４】
0003547630.tif 000005
【図５】
0003547630.tif 000006
【図６】
0003547630.tif 000007
【図７】
0003547630.tif 000008
【図８】
0003547630.tif 000009
【図９】
0003547630.tif 000010
【図１０】
0003547630.tif 000011
【図１１】
0003547630.tif 000012
【図１２】
0003547630.tif 000013